【手続補正書】
【提出日】平成19年7月20日(2007.7.20)
【手続補正１】
【補正対象書類名】特許請求の範囲
【補正対象項目名】全文
【補正方法】変更
【補正の内容】
【特許請求の範囲】
【請求項１】
通信ネットワークを介して相互に通信可能な、１個又は複数個の店舗に備えられている前記店舗毎の店舗用端末装置と、前記店舗において販売される商品の商品情報を前記店舗毎に提供するＰＯＳ代行サービスシステムと、前記店舗において販売されている前記商品の商品購入者が利用する１個又は複数個の無線通信可能な携帯端末装置と、前記携帯端末装置の通信料金を決済する１個又は複数個の通信キャリア決済システムとを有した電子商取引システムであって、
前記ＰＯＳ代行サービスシステムは、
前記携帯端末装置からのアクセス要求に基づいて、前記店舗において販売されている前記商品の商品情報を含む購入手続き情報を前記携帯端末装置へ出力する購入手続き情報出力手段と、
前記携帯端末装置から送信された購入商品の注文情報及び前記商品購入者の識別情報を受け付ける注文受付手段と、
前記注文受付手段によって受け付けた前記購入商品の注文情報及び前記商品購入者の識別情報とともに、前記商品購入者の与信確認要求を前記通信キャリア決済システムへ出力する与信確認要求手段と、
前記与信確認要求手段によって要求された与信確認の結果情報に基づいて、前記購入商品の受注情報を前記携帯端末装置へ出力する受注確認手段と、
前記与信確認要求手段によって要求された与信確認の結果情報に基づいて、前記購入商品の発注情報を前記店舗用端末装置へ出力する発注確認手段と、
前記購入商品の注文情報及び前記商品購入者の識別情報に基づいて、前記店舗の商品の販売情報及び前記商品購入者の識別情報の管理及び分析を実行するＰＯＳ代行手段と、
を備え、
前記店舗用端末装置は、
前記購入商品の発注情報を出力する発注情報出力手段を備え、
前記携帯端末装置は、
前記店舗の前記商品情報の出力を前記ＰＯＳ代行サービスシステムへ要求するサイトアクセス手段と、
前記購入手続き情報を出力するとともに、出力された前記購入手続き情報に基づいて入力された購入商品の注文情報、及び前記商品購入者の識別情報を前記ＰＯＳ代行サービスシステムへ送信する注文手段と、
前記購入商品の受注情報を出力する受注情報出力手段と、
を備え、
前記通信キャリア決済システムは、
前記購入商品の注文情報及び前記商品購入者の識別情報に基づいて、前記商品購入者の与信確認を実行し、与信確認の結果情報を前記ＰＯＳ代行サービスシステムへ出力する与信確認結果出力手段と、
前記購入商品の注文情報及び前記商品購入者の識別情報に基づいて、前記購入商品の料金を前記通信料金に課金して、前記購入商品の料金の決済を実行する決済手段と、
を備えていることを特徴とする電子商取引システム。
【請求項２】
前記発注情報には、前記店舗の所定の第１のルールに基づいて、前記商品購入者と前記購入商品とを対応付けることが可能な、前記商品購入者を特定する購入者特定情報が含まれていることを特徴とする請求項１に記載の電子商取引システム。
【請求項３】
前記ＰＯＳ代行サービスシステムは、
更に、前記携帯端末装置からの要求に基づいて、前記購入商品のレシート及び領収書の少なくとも１つのレシート出力情報とともに、前記購入商品のレシート及び領収書の少なくとも１つの出力を前記店舗用端末装置へ要求するレシート処理手段を備え、
前記携帯端末装置は、
更に、前記購入商品のレシート及び領収書の少なくとも１つの出力を前記ＰＯＳ代行サービスシステムへ要求するレシート要求手段を備え、
前記店舗用端末装置は、
更に、前記レシート出力情報に基づいて、前記購入商品のレシート及び領収書の少なくとも１つを出力するレシート出力手段を備えていることを特徴とする請求項１又は２に記載の電子商取引システム。
【請求項４】
前記ＰＯＳ代行サービスシステムの前記ＰＯＳ代行手段は、前記識別情報及び前記店舗の所定の第２のルールに基づいて、前記商品情報を生成することを特徴とする請求項１から３のいずれか１項に記載の電子商取引システム。
【請求項５】
前記ＰＯＳ代行サービスシステムは、
更に、前記店舗用端末装置からの要求に基づいて、前記店舗の商品の販売情報、前記商品購入者の識別情報及び分析した結果情報を、前記店舗用端末装置へ出力する販売分析手段を備え、
前記店舗用端末装置は、
更に、前記店舗の商品の販売情報、前記商品購入者の識別情報及び分析した結果情報の出力を前記ＰＯＳ代行サービスシステムへ要求する販売分析要求手段と、
前記ＰＯＳ代行サービスシステムより入力した前記店舗の商品の販売情報、前記商品購入者の識別情報及び分析した結果情報を出力する販売分析出力手段と、
を備えていることを特徴とする請求項１から４のいずれか１項に記載の電子商取引システム。
【請求項６】
通信ネットワークを介して相互に通信可能な、１個又は複数個の店舗に備えられている前記店舗毎の店舗用端末装置と、前記店舗において販売される商品の商品情報を前記店舗毎に提供するＰＯＳ代行サービスシステムと、前記店舗において販売されている前記商品の商品購入者が利用する１個又は複数個の無線通信可能な携帯端末装置と、前記携帯端末装置の通信料金を決済する１個又は複数個の通信キャリア決済システムとを有した電子商取引システムであって、
前記ＰＯＳ代行サービスシステムは、
前記携帯端末装置からのアクセス要求に基づいて、前記店舗において販売されている前記商品の商品情報を含む購入手続き情報を前記携帯端末装置へ出力する購入手続き情報出力手段と、
前記携帯端末装置から送信された購入商品の注文情報及び前記商品購入者の識別情報を受け付ける注文受付手段と、
前記注文受付手段によって受け付けた前記購入商品の注文情報及び前記商品購入者の識別情報とともに、前記商品購入者の与信確認要求を前記通信キャリア決済システムへ出力する与信確認要求手段と、
を備え、
前記携帯端末装置は、
前記店舗の前記商品情報の出力を前記ＰＯＳ代行サービスシステムへ要求するサイトアクセス手段と、
前記購入手続き情報を出力するとともに、出力された前記購入手続き情報に基づいて入力された購入商品の注文情報、及び前記商品購入者の識別情報を前記ＰＯＳ代行サービスシステムへ送信する注文手段と、
を備え、
前記通信キャリア決済システムは、
前記購入商品の注文情報及び前記商品購入者の識別情報に基づいて、前記商品購入者の与信確認を実行し、与信確認の結果情報を前記ＰＯＳ代行サービスシステムへ出力する与信確認結果出力手段と、
前記購入商品の注文情報及び前記商品購入者の識別情報に基づいて、前記購入商品の料金を前記通信料金に課金して、前記購入商品の料金の決済を実行する決済手段と、
を備えていることを特徴とする電子商取引システム。
【請求項７】
店舗に備えられている店舗用端末装置、前記店舗において販売されている商品の商品購入者が利用する無線通信可能な携帯端末装置、及び前記携帯端末装置の通信料金を決済する通信キャリア決済システムと、通信ネットワークを介して通信可能なＰＯＳ代行サービスシステムであって、
前記携帯端末装置からのアクセス要求に基づいて、前記店舗において販売されている前記商品の商品情報を含む購入手続き情報を前記携帯端末装置へ出力する購入手続き情報出力手段と、
前記携帯端末装置から送信された購入商品の注文情報及び前記商品購入者の識別情報を受け付ける注文受付手段と、
前記注文受付手段によって受け付けた前記購入商品の注文情報及び前記商品購入者の識別情報とともに、前記商品購入者の与信確認要求を前記通信キャリア決済システムへ出力する与信確認要求手段と、
前記与信確認要求手段によって要求された与信確認の結果情報に基づいて、前記購入商品の受注情報を前記携帯端末装置へ出力する受注確認手段と、
前記与信確認要求手段によって要求された与信確認の結果情報に基づいて、前記購入商品の発注情報を前記店舗用端末装置へ出力する発注確認手段と、
前記購入商品の注文情報及び前記商品購入者の識別情報に基づいて、前記店舗の商品の販売情報及び前記商品購入者の識別情報の管理及び分析を実行するＰＯＳ代行手段と、
を備えていることを特徴とするＰＯＳ代行サービスシステム。
【請求項８】
通信ネットワークを介して相互に通信可能な、１個又は複数個の店舗に備えられている前記店舗毎の店舗用端末装置と、前記店舗において販売される商品の商品情報を前記店舗毎に提供するＰＯＳ代行サービスシステムと、前記店舗において販売されている前記商品の商品購入者が利用する１個又は複数個の無線通信可能な携帯端末装置と、前記携帯端末装置の通信料金を決済する１個又は複数個の通信キャリア決済システムとを利用した電子商取引方法であって、
前記店舗の前記商品情報の出力を前記携帯端末装置から前記ＰＯＳ代行サービスシステムへ要求するサイトアクセス工程と、
前記携帯端末装置からのアクセス要求に基づいて、前記店舗において販売されている前記商品の商品情報を含む購入手続き情報を前記ＰＯＳ代行サービスシステムから前記携帯端末装置へ出力する購入手続き情報出力工程と、
前記購入手続き情報を出力するとともに、出力された前記購入手続き情報に基づいて入力された購入商品の注文情報、及び前記商品購入者の識別情報を、前記携帯端末装置から前記ＰＯＳ代行サービスシステムへ送信する注文工程と、
注文送信工程によって送信された前記注文情報及び前記識別情報を、前記ＰＯＳ代行サービスシステムが受け付ける注文受付工程と、
前記購入商品の注文情報及び前記商品購入者の識別情報とともに、前記商品購入者の与信確認要求を、前記ＰＯＳ代行サービスシステムから前記通信キャリア決済システムへ出力する与信確認要求工程と、
前記購入商品の注文情報及び前記商品購入者の識別情報に基づいて、前記商品購入者の与信確認を実行し、与信確認の結果情報を前記通信キャリア決済システムから前記ＰＯＳ代行サービスシステムへ出力する与信確認結果出力工程と、
前記与信確認の結果情報に基づいて、前記購入商品の受注情報を前記ＰＯＳ代行サービスシステムから前記携帯端末装置へ出力する受注確認工程と、
前記購入商品の受注情報を前記携帯端末装置が出力する受注情報出力工程と、
前記与信確認の結果情報に基づいて、前記購入商品の発注情報を前記ＰＯＳ代行サービスシステムから前記店舗用端末装置へ出力する発注確認工程と、
前記購入商品の発注情報を前記店舗用端末装置が出力する発注情報出力工程と、
前記購入商品の注文情報及び前記商品購入者の識別情報に基づいて、前記店舗の商品の販売情報及び前記商品購入者の識別情報の管理及び分析を実行するＰＯＳ代行工程と、
前記購入商品の注文情報及び前記商品購入者の識別情報に基づいて、前記購入商品の料金を前記通信料金に課金して、前記購入商品の料金の決済を実行する決済工程と、
を備えていることを特徴とする電子商取引方法。
【請求項９】
通信ネットワークを介して相互に通信可能な、１個又は複数個の店舗に備えられている前記店舗毎の店舗用端末装置と、前記店舗において販売される商品の商品情報を前記店舗毎に提供するＰＯＳ代行サービスシステムと、前記店舗において販売されている前記商品の商品購入者が利用する１個又は複数個の無線通信可能な携帯端末装置と、前記携帯端末装置の通信料金を決済する１個又は複数個の通信キャリア決済システムとを利用した電子商取引方法であって、
前記店舗の前記商品情報の出力を前記携帯端末装置から前記ＰＯＳ代行サービスシステムへ要求するサイトアクセス工程と、
前記携帯端末装置からのアクセス要求に基づいて、前記店舗において販売されている前記商品の商品情報を含む購入手続き情報を前記ＰＯＳ代行サービスシステムから前記携帯端末装置へ出力する購入手続き情報出力工程と、
前記購入手続き情報を出力するとともに、出力された前記購入手続き情報に基づいて入力された購入商品の注文情報、及び前記商品購入者の識別情報を、前記携帯端末装置から前記ＰＯＳ代行サービスシステムへ送信する注文工程と、
注文送信工程によって送信された前記注文情報及び前記識別情報を、前記ＰＯＳ代行サービスシステムが受け付ける注文受付工程と、
前記購入商品の注文情報及び前記商品購入者の識別情報とともに、前記商品購入者の与信確認要求を、前記ＰＯＳ代行サービスシステムから前記通信キャリア決済システムへ出力する与信確認要求工程と、
前記購入商品の注文情報及び前記商品購入者の識別情報に基づいて、前記商品購入者の与信確認を実行し、与信確認の結果情報を前記通信キャリア決済システムから前記ＰＯＳ代行サービスシステムへ出力する与信確認結果出力工程と、
前記購入商品の注文情報及び前記商品購入者の識別情報に基づいて、前記購入商品の料金を前記通信料金に課金して、前記購入商品の料金の決済を実行する決済工程と、
を備えていることを特徴とする電子商取引方法。
【請求項１０】
通信ネットワークを介して相互に通信可能な、１個又は複数個の店舗に備えられている前記店舗毎の店舗用端末装置と、前記店舗において販売される商品の商品情報を前記店舗毎に提供するＰＯＳ代行サービスシステムと、前記店舗において販売されている前記商品の商品購入者が利用する１個又は複数個の無線通信可能な携帯端末装置と、前記携帯端末装置の通信料金を決済する１個又は複数個の通信キャリア決済システムとを利用した電子商取引の処理をコンピュータに実行させるプログラムであって、
請求項１から６のいずれか１項に記載の電子商取引システムの各手段を実現させる処理を前記コンピュータに実行させるプログラム。